(57)【要約】      （修正有）【課題】部品を最小数に抑えても、注射針を確実に引き込むことができ、重複に利用できない注射器を提供する。【解決手段】内部の前端２０に環状規制部が設けられ、環状規制部は少なくとも二つの規制ブロック２３と少なくとも二つの規制係止溝２５とを有し、これらの規制係止溝２５はこれらの規制ブロック２３にカットオフされて形成し、各規制ブロック２３の一側にガイド面が形成されている注射筒２と、注射筒の内部の前端２０に組み付けられ、その周囲に係止定位具３５が少なくとも二つ設けられ、各係止定位具３５の一側にガイド斜面が設けられ、係止定位具３５は、規制係止溝２５にそれぞれ収容されているアダプター３と、注射筒の内部に移動可能に収容され、その前端５０は、アダプター３の底端に移動して押付けて、アダプター３の底端と連結する押子５と、を含む。【選択図】図２
0003189081.tif 000002
【実用新案登録請求の範囲】
【請求項１】
その内部の前端に環状規制部が設けられており、前記環状規制部は、少なくとも二つの規制ブロックと、少なくとも二つの規制係止溝と、を有し、これらの前記規制係止溝は、これらの前記規制ブロックにカットオフされて形成しており、前記各規制ブロックの一側にガイド面が形成されている注射筒と、
前記注射筒の内部の前端に組み付けられており、その周囲に係止定位具が少なくとも二つ設けられており、前記各係止定位具の一側にガイド斜面が設けられており、これらの前記係止定位具は、これらの前記規制係止溝にそれぞれ収容されており、これらの前記規制ブロックに止められるアダプターと、
前記注射筒の内部に移動可能に収容されており、その前端は、前記アダプターの底端に移動して押付けて、前記アダプターの底端と連結する押子と、を含み、
前記注射筒の内部の前端に前記アダプターを組付けるときには、これらの前記ガイド面とこれらの前記ガイド斜面の接触により、これらの前記係止定位具とこれらの前記規制ブロックがガイドされて定位することを特徴とする注射器。
【請求項２】
前記注射筒の内部の前端には、更に、円錐形環状溝が設けられており、前記円錐形環状溝と前記規制係止溝は階段状構造を呈し、前記円錐形環状溝の直径は前記規制係止溝の直径よりも大きいことを特徴とする、請求項１に記載の注射器。
【請求項３】
前記アダプターの周囲は、更に、環状円錐具を有し、前記環状円錐具と前記係止定位具は階段状構造を呈し、前記環状円錐具は前記円錐形環状溝に対応し、前記係止定位具は前記規制係止溝に対応し、前記アダプターの前記環状円錐具の外径は前記係止定位具の外径よりも大きく、これにより、前記注射筒の内部に前記アダプターを組付けるときには、前記環状円錐具が前記円錐形環状溝に緊密に当接しており、前記係止定位具が前記規制係止溝に係止されることを特徴とする、請求項２に記載の注射器。
【請求項４】
前記注射筒の内部の前端には、更に、前記円錐形環状溝の下縁から延びる突起が設けられており、前記アダプターの底端は前記突起に係止され、これにより、前記アダプターは前記注射筒の内部の前端に係止されることを特徴とする、請求項２に記載の注射器。
【請求項５】
前記アダプターの内部から引掛け部が延びており、前記引掛け部には、円錐状フックが裏上へ形成されており、前記アダプターの底端に窪みが形成されていることを特徴とする、請求項１から３の何れか１項に記載の注射器。
【請求項６】
前記押子の前端には、ピストンと、前記ピストンから突出する連接柱と、が設けられており、前記ピストンは移動して前記アダプターの底端に押付けることが可能であり、前記ピストンは前記窪みに良く当接することが可能であり、前記連接柱は、前記アダプターの内部に収容されており、前記円錐状フックに固定されていることを特徴とする、請求項５に記載の注射器。
【請求項７】
前記連接柱に係合溝が設けられており、前記連接柱は前記アダプターの内部に収容されており、前記円錐状フックは、前記連接柱の前記係合溝に係合されて固定していることを特徴とする、請求項６に記載の注射器。
【請求項８】
前記アダプターには、上方に延びる突出具が設けられており、前記突出具に注射針を取り付けることが可能であることを特徴とする、請求項１に記載の注射器。
【請求項９】
前記注射筒の内部の前端に螺着部が設けられており、前記螺着部に前記注射針を螺着することが可能であることを特徴とする、請求項８に記載の注射器。
【請求項１０】
前記各ガイド面はＶ字形を呈し、前記各ガイド斜面はＶ字形を呈することを特徴とする、請求項１に記載の注射器。
【考案の詳細な説明】
【技術分野】
【０００１】
本考案は、注射器に関し、特に、アダプターを有効に定位することが可能であり、操作ミスによるアダプターの脱落を回避することが可能な注射器に関するものである。
【背景技術】
【０００２】
注射器を良く取り扱わないと、ヘルスケアメンバー及び医療廃棄物処理メンバーは注射針に刺されて、エイズ（ＡＩＤＳ）、Ｂ型肝炎、肺結核（ＴＢ）などを感染する可能性がある。統計によると、全世界は、毎年、不安全な注射による死亡の患者数は１３０万人であり、直接の医療費用は数億ドルを掛かる。不安全な注射というのは、注射を受ける者、ヘルスケアメンバー及び公共環境に対する不安全な注射方式であり、すなわち、使い捨て式注射器を重複に利用すること、無菌操作ミス及び医療廃棄物処理を正確に処理しないことなどである。上記の状況を回避するために、安全注射器が開発されて市販している。このような安全注射器は、針基が注射筒のネック内に設けられており、利用後に、針基を注射筒の内部に引き込むことが可能な構造である。
【先行技術文献】
【特許文献】
【０００３】
【特許文献１】なし
【考案の概要】
【考案が解決しようとする課題】
【０００４】
本考案の主な目的は、部品を最小数に抑えても、注射針を引き込むことの確実性を確保することが可能であり、重複に利用できない注射器を提供することにある。
【０００５】
本考案の次の目的は、アダプターの回転を有効に制限することが可能であり、注射筒の内部の前端にアダプターを確実に定位することが可能であり、操作ミスによるアダプターの脱落を回避することが可能な注射器を提供することにある。
【課題を解決するための手段】
【０００６】
本考案の注射器によると、その内部の前端に環状規制部が設けられており、環状規制部は、少なくとも二つの規制ブロックと、少なくとも二つの規制係止溝と、を有し、これらの規制係止溝は、これらの規制ブロックにカットオフされて形成しており、各規制ブロックの一側にガイド面が形成されている注射筒と、注射筒の内部の前端に組み付けられており、その周囲に係止定位具が少なくとも二つ設けられており、各係止定位具の一側にガイド斜面が設けられており、これらの係止定位具は、これらの規制係止溝にそれぞれ収容されており、これらの規制ブロックに止められるアダプターと、注射筒の内部に移動可能に収容されており、その前端は、アダプターの底端に移動して押付けて、アダプターの底端と連結する押子と、を含み、注射筒の内部の前端にアダプターを組付けるときには、これらのガイド面とこれらのガイド斜面の接触により、これらの係止定位具とこれらの規制ブロックがガイドされて定位することを特徴とする。
【０００７】
本考案の注射器によると、注射筒の内部の前端には、更に、円錐形環状溝が設けられており、円錐形環状溝と規制係止溝は階段状構造を呈し、円錐形環状溝の直径は規制係止溝の直径よりも大きいことを特徴とする。
【０００８】
本考案の注射器によると、アダプターの周囲は、更に、環状円錐具を有し、環状円錐具と係止定位具は階段状構造を呈し、環状円錐具は円錐形環状溝に対応し、係止定位具は規制係止溝に対応し、アダプターの環状円錐具の外径は係止定位具の外径よりも大きく、これにより、注射筒の内部にアダプターを組付けるときには、環状円錐具が円錐形環状溝に緊密に当接しており、係止定位具が規制係止溝に係止されることを特徴とする。
【０００９】
本考案の注射器によると、注射筒の内部の前端には、更に、円錐形環状溝の下縁から延びる突起が設けられており、アダプターの底端は突起に係止され、これにより、アダプターは注射筒の内部の前端に係止されることを特徴とする。
【００１０】
本考案の注射器によると、アダプターの内部から引掛け部が延びており、引掛け部には、円錐状フックが裏上へ形成されており、アダプターの底端に窪みが形成されていることを特徴とする。
【００１１】
本考案の注射器によると、押子の前端には、ピストンと、ピストンから突出する連接柱と、が設けられており、ピストンは移動してアダプターの底端に押付けることが可能であり、ピストンは窪みに良く当接することが可能であり、連接柱は、アダプターの内部に収容されており、円錐状フックに固定されていることを特徴とする。
【００１２】
本考案の注射器によると、連接柱に係合溝が設けられており、連接柱はアダプターの内部に収容されており、円錐状フックは、連接柱の係合溝に係合されて固定していることを特徴とする。
【００１３】
本考案の注射器によると、アダプターには、上方に延びる突出具が設けられており、突出具に注射針を取り付けることが可能であることを特徴とする。
【００１４】
本考案の注射器によると、注射筒の内部の前端に螺着部が設けられており、螺着部に注射針を螺着することが可能であることを特徴とする。
【００１５】
本考案の注射器によると、各ガイド面はＶ字形を呈し、各ガイド斜面はＶ字形を呈することを特徴とする。
【考案の効果】
【００１６】
本考案の注射器によれば、次のような効果がある。
（１）部品を最小数に抑えても、注射針を引き込むことの確実性を確保することが可能であり、重複に利用できない。
【００１７】
（２）アダプターの回転を有効に制限することが可能であり、注射筒の内部の前端にアダプターを確実に定位することが可能であり、操作ミスによるアダプターの脱落を回避することが可能である。
【００１８】
（３）係止定位具は規制ブロックに直接に衝突することを回避可能であるため、衝突による損壊を防止することが可能である。係止定位具と規制ブロックは、有効にガイドされて定位することが便利となり、脱落を有効に回避することが可能である。
【図面の簡単な説明】
【００１９】
【図１】本考案の一実施例を示す分解斜視図である。
【図２】本考案の一実施例を示す断面図１である。
【図３】本考案の一実施例の一部を示す断面図である。
【図４】本考案の一実施例のアダプターを示す斜視図である。
【図５】本考案の一実施例の注射筒を示す斜視図である。
【図６】本考案の一実施例を示す断面図３であって、押子、アダプター及び注射筒の組付けを示す。
【図６Ａ】図６の一部を示す拡大図であって、アダプターが注射筒の内部に接触している状態を示す。
【図７Ａ】図６の断面図であって、７−７線の断面図である。
【図７Ｂ】図７Ａの別の状態を示す断面図である。
【図８】本考案の一実施例の使用状態を示す断面図であって、注射針、アダプター及び注射筒の組付けを示す。
【図９】図８の別の状態を示す断面図であって、押子が引戻された後、注射針、アダプター及び注射筒の組付けを示す。
【考案を実施するための形態】
【００２０】
以下、本考案の実施の形態を図面に基づいて説明する。
図１から図７Ｂを参照する。図１は本考案の一実施例を示す分解斜視図であり、図２は本考案の一実施例を示す断面図１であり、図３は本考案の一実施例の一部を示す断面図であり、図４は本考案の一実施例のアダプターを示す斜視図であり、図５は本考案の一実施例の注射筒を示す斜視図であり、図６は、本考案の一実施例を示す断面図３であって、押子、アダプター及び注射筒の組付けを示し、図６Ａは、図６の一部を示す拡大図であって、アダプターが注射筒の内部に接触している状態を示し、図７Ａは、図６の断面図であって、７−７線の断面図であり、図７Ｂは図７Ａの別の状態を示す断面図である。本考案の注射器は、注射筒２と、アダプター３と、押子５と、を含む。
【００２１】
図１、図２、図４及び図５に示すように、注射筒２の内部の前端２０に環状規制部２１が設けられている。環状規制部２１は、少なくとも二つの規制ブロック２３と、少なくとも二つの規制係止溝２５と、を有する。これらの規制係止溝２５は、これらの規制ブロック２３にカットオフされて形成している。各規制ブロック２３の一側にガイド面２３０が形成されている。本実施例では、各ガイド面２３０はＶ字形を呈する。本実施例では、図７Ａ及び図７Ｂに示すように、環状規制部２１は、四つの規制ブロック２３と、四つの規制係止溝２５と、を有する。四つの規制係止溝２５は、四つの規制ブロック２３にカットオフされて形成している。このように、注射筒２の内部の前端２０は、アダプター３を有効に定位することが可能である。また、注射筒２の内部の前端２０には、更に、円錐形環状溝２７が設けられている。円錐形環状溝２７は規制係止溝２５の下方に形成されている。円錐形環状溝２７と規制係止溝２５は、図２に示すように、階段状構造を呈する。円錐形環状溝２７の直径は、規制係止溝２５の直径よりも大きいため、アダプター３を有効に定位することが可能である。
【００２２】
一方、注射筒２の内部の前端２０には、更に、円錐形環状溝２７の下縁から延びる突起２８が設けられている。突起２８により、アダプター３は注射筒２の内部の前端２０に安定的に係止される。また、注射筒２の内部の前端２０に螺着部２９が設けられている。図８に示すように、螺着部２９に注射針を螺着することが可能である。
【００２３】
図４、図７Ａ及び図７Ｂを参照する。アダプター３は注射筒２の内部の前端２０に組み付けられている。アダプター３の周囲に係止定位具３５が二つ設けられている。各係止定位具３５の一側にガイド斜面３５０が設けられている。本実施例では、各ガイド斜面３５０はＶ字形を呈する。アダプター３が注射筒２の内部に移動して前端２０に押付けているときに、これらの係止定位具３５は、それぞれこれらの規制係止溝２５に収容され、これらの規制ブロック２３に止められるため、注射筒２において、アダプター３は回動できない。また、アダプター３には、上方に延びる突出具３１が設けられており、図８に示すように、突出具３１に注射針を取り付けることが可能である。一方、アダプター３の周囲は、更に、環状円錐具３７を有する。環状円錐具３７は係止定位具３５の下方に形成されている。環状円錐具３７と係止定位具３５は階段状構造を呈する。このように、注射筒２の内部にアダプター３を定位するときには、環状円錐具３７が円錐形環状溝２７に良く当接することが可能である。本考案の特徴は、注射筒２の内部の前端２０にアダプター３を組付けるときに、各ガイド面２３０と各ガイド斜面３５０の互いの接触により、これらの係止定位具３５とこれらの規制ブロック２３を有効にガイドして定位することが可能であることにある。このように、係止定位具３５は、規制係止溝２５に快速に当接して、規制ブロック２３に止められることが可能であり、そして係止定位具３５は規制ブロック２３に直接に衝突することを回避可能であるため、衝突による損壊を防止することが可能である。係止定位具３５と規制ブロック２３は、定位が便利となり、脱落を有効に回避することが可能である。
【００２４】
図２、図３及び図６を参照する。アダプター３の環状円錐具３７の外径は係止定位具３５の外径よりも大きい。これにより、注射筒２の内部にアダプター３を組付けるときには、環状円錐具３７が円錐形環状溝２７に緊密に当接しており、係止定位具３５が規制係止溝２５に係止される。このように、アダプター３が注射筒２に対して回動不能となる他、アダプター３と注射筒２を安定的に合わせることが可能であり、Ｏリング、オイルシールや密封具などを使用せず、注射液が外部に漏れ出すことはない。また、アダプター３の内部から引掛け部３８が延びており、引掛け部３８には、円錐状フックが裏上へ形成されており、アダプター３の底端に窪み３３が形成されており、アダプター３の底端に押付けブロック３６が設けられている。
【００２５】
押子５は、注射筒２の内部に移動可能に収容されており、その前端５０は、アダプター３の底端に移動して押付けて、アダプター３の底端と連結する。具体的には、押子５の前端５０には、ピストン５２と、ピストン５２から突出する連接柱５４と、が設けられている。ピストン５２は、移動してアダプター３の底端に押付けることが可能である。これにより、図８に示すように、ピストン５２はアダプター３の窪み３３に良く接触することが可能であり、注射液をアダプター３の突出具３１に完全に排出することが可能であり、ひいては注射液を注射針に完全に排出することが可能である。このとき、連接柱５４をアダプター３の内部に挿入して収容されることが可能であり、これにより、連接柱５４は引掛け部３８の前記円錐形フックに固定される。連接柱５４に係止溝５６が設けられている。連接柱５４がアダプター３の内部に収容されているときには、引掛け部３８の前記円錐形フックが連接柱５４の係止溝５６を係止して固定する。一方、図９に示すように、ピストン５２の一部の表面は、アダプター３の押付けブロック３６に押付けられる。
【００２６】
図６、図８及び図９を参照しながら本考案の使用状態を説明する。押子５を前へ押さえると、前端５０が注射筒２の内部の前端２０へ移動して、押子５のピストン５２がアダプター３の底端の窪み３３に当接し、注射液を完全に排出することが可能である。このとき、連接柱５４がアダプター３の内部に収容されているため、アダプター３の引掛け部３８が連接柱５４の係合溝５６に係止されている。注射液が完全に排出された後、押子５を引き戻すと、アダプター３と注射針は、図９に示すように、押子５と共に引かれて、注射筒２の内部に確実に入ることが可能である。一方、アダプター３の底端の押付けブロック３６は、押子５のピストン５２の表面に押付けるため、図９に示すように、アダプター３と注射針との向いている方向が変更される。このように、アダプター３と注射針が注射筒の内部に止まるため、注射器をもう一度利用することができない。このため、注射器を重複に利用できなくなる。
【産業上の利用可能性】
【００２７】
本考案は、注射器に適用することができる。
【符号の説明】
【００２８】
２  注射筒
３  アダプター
５  押子
２０  前端
２１  環状規制部
２３  規制ブロック
２５  規制係止溝
２７  円錐形環状溝
２８  突起
２９  螺着部
３１  突出具
３３  窪み
３５  係止定位具
３６  押付けブロック
３７  環状円錐具
３８  引掛け部
５０  前端
５２  ピストン
５４  連接柱
５６  係止溝
２３０  ガイド面
３５０  ガイド斜面
【図１】
0003189081.tif 000003
【図２】
0003189081.tif 000004
【図３】
0003189081.tif 000005
【図４】
0003189081.tif 000006
【図５】
0003189081.tif 000007
【図６】
0003189081.tif 000008
【図６Ａ】
0003189081.tif 000009
【図７Ａ】
0003189081.tif 000010
【図７Ｂ】
0003189081.tif 000011
【図８】
0003189081.tif 000012
【図９】
0003189081.tif 000013